【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
荷物を指定された配送先に対して配送する配送計画を作成する情報処理装置であって、
少なくとも前記荷物の配送先と配送時刻条件とを含む、配送オーダ情報を記憶する第１の記憶手段と、
前記配送オーダ情報が示す荷物の配送に用いる車両の情報を記憶する第２の記憶手段と、
前記第１の記憶手段で記憶されている配送オーダ情報の前記配送時刻条件を変更する配送時刻条件変更手段と、
前記第１の記憶手段に記憶されている其々の配送オーダ情報の配送時刻条件を前記配送時刻条件変更手段によって変更するために、他の配送オーダ情報の荷物と同一の車両で配送可能となる配送オーダ情報の増加数を時刻緩和効果として算出する算出手段と、
前記配送時刻条件変更手段で変更された配送時刻条件を満たすよう、前記配送オーダ情報が示す荷物を前記車両を用いて配送する配送計画を作成する配送計画作成手段と
を備えたことを特徴とする情報処理装置。
【請求項２】
前記配送時刻条件変更手段による配送時刻条件の変更の上限を設定する設定手段をさらに備え、
前記配送時刻条件変更手段は、前記設定手段で設定した上限を超えないよう前記配送オーダ情報の配送時刻条件を変更すること
を特徴とする請求項１に記載の情報処理装置。
【請求項３】
前記配送オーダ情報には、当該配送オーダ情報に含まれる配送時刻条件を変更可能な時間情報がさらに含まれており、
前記配送時刻条件変更手段は、前記変更可能な時間情報を満たすよう、前記配送時刻条件を変更すること
を特徴とする請求項１または２に記載の情報処理装置。
【請求項４】
前記配送オーダ情報には、当該配送オーダ情報に含まれる配送時刻条件を変更する際の時刻の幅単位がさらに含まれており、
前記配送時刻条件変更手段は、配送時刻条件の変更を行う配送オーダ情報に含まれる時刻の幅単位で前記配送時刻条件を変更すること
を特徴とする請求項１乃至３の何れか１項に記載の情報処理装置。
【請求項５】
一の配送オーダの変更が行われた後にさらに前記配送時刻条件変更手段による配送時刻条件の変更を行う場合には、前記算出手段は、前記一の配送オーダの配送時刻条件が変更された状態で、さらに前記第１の記憶手段に記憶されている其々の配送オーダ情報の配送時刻条件を変更することにより、他の配送オーダ情報の荷物と同一の車両で配送可能となる配送オーダ情報の増加数を時刻緩和効果として算出すること
を特徴とする請求項１乃至４の何れか１項に記載の情報処理装置。
【請求項６】
荷物の配送先と配送時刻条件とを含む、配送オーダ情報を記憶する第１の記憶手段と、前記配送オーダ情報が示す荷物の配送に用いる車両の情報を記憶する第２の記憶手段と、を備え、前記配送オーダ情報が示す荷物を指定された配送先に対して配送する配送計画を作成する情報処理装置によって行われる情報処理方法であって、
前記第１の記憶手段で記憶されている配送オーダ情報の前記配送時刻条件を変更する配送時刻条件変更工程と、
前記第１の記憶手段に記憶されている其々の配送オーダ情報の配送時刻条件を前記配送時刻条件変更工程によって変更するために、他の配送オーダ情報の荷物と同一の車両で配送可能となる配送オーダ情報の増加数を時刻緩和効果として算出する算出工程と、
前記配送時刻条件変更工程で変更された配送時刻条件を満たすよう、前記配送オーダ情報が示す荷物を前記車両を用いて配送する配送計画を作成する配送計画作成工程と
を備えたことを特徴とする情報処理方法。
【請求項７】
荷物の配送先と配送時刻条件とを含む、配送オーダ情報を記憶する第１の記憶手段と、前記配送オーダ情報が示す荷物の配送に用いる車両の情報を記憶する第２の記憶手段と、を備えるコンピュータを、前記配送オーダ情報が示す荷物を指定された配送先に対して配送する配送計画を作成する情報処理装置として機能させるコンピュータプログラムであって、
前記コンピュータを
前記第１の記憶手段で記憶されている配送オーダ情報の前記配送時刻条件を変更する配送時刻条件変更手段と、
前記第１の記憶手段に記憶されている其々の配送オーダ情報の配送時刻条件を前記配送時刻条件変更手段によって変更するために、他の配送オーダ情報の荷物と同一の車両で配送可能となる配送オーダ情報の増加数を時刻緩和効果として算出する算出手段と、
前記配送時刻条件変更手段で変更された配送時刻条件を満たすよう、前記配送オーダ情報が示す荷物を前記車両を用いて配送する配送計画を作成する配送計画作成手段、
として機能させることを特徴とするコンピュータプログラム。
【手続補正２】
【補正対象書類名】明細書
【補正対象項目名】００１３
【補正方法】変更
【補正の内容】
【００１３】
上記した目的を達成するために、本発明の情報処理装置は以下の構成を備える。即ち、荷物を指定された配送先に対して配送する配送計画を作成する情報処理装置であって、少なくとも前記荷物の配送先と配送時刻条件とを含む、配送オーダ情報を記憶する第１の記憶手段と、前記配送オーダ情報が示す荷物の配送に用いる車両の情報を記憶する第２の記憶手段と、前記第１の記憶手段で記憶されている配送オーダ情報の前記配送時刻条件を変更する配送時刻条件変更手段と、前記第１の記憶手段に記憶されている其々の配送オーダ情報の配送時刻条件を前記配送時刻条件変更手段によって変更するために、他の配送オーダ情報の荷物と同一の車両で配送可能となる配送オーダ情報の増加数を時刻緩和効果として算出する算出手段と、前記配送時刻条件変更手段で変更された配送時刻条件を満たすよう、前記配送オーダ情報が示す荷物を前記車両を用いて配送する配送計画を作成する配送計画作成手段とを備えたことを特徴とする。
【手続補正３】
【補正対象書類名】明細書
【補正対象項目名】００１４
【補正方法】変更
【補正の内容】
【００１４】
上記した目的を達成するために、本発明の情報処理方法は、以下の構成を備える。即ち、  荷物の配送先と配送時刻条件とを含む、配送オーダ情報を記憶する第１の記憶手段と、前記配送オーダ情報が示す荷物の配送に用いる車両の情報を記憶する第２の記憶手段と、を備え、前記配送オーダ情報が示す荷物を指定された配送先に対して配送する配送計画を作成する情報処理装置によって行われる情報処理方法であって、
前記第１の記憶手段で記憶されている配送オーダ情報の前記配送時刻条件を変更する配送時刻条件変更工程と、
前記第１の記憶手段に記憶されている其々の配送オーダ情報の配送時刻条件を前記配送時刻条件変更工程によって変更するために、他の配送オーダ情報の荷物と同一の車両で配送可能となる配送オーダ情報の増加数を時刻緩和効果として算出する算出工程と、
前記配送時刻条件変更工程で変更された配送時刻条件を満たすよう、前記配送オーダ情報が示す荷物を前記車両を用いて配送する配送計画を作成する配送計画作成工程とを備えたことを特徴とする。
【手続補正４】
【補正対象書類名】明細書
【補正対象項目名】００１５
【補正方法】変更
【補正の内容】
【００１５】
上記した目的を達成するために、本発明のコンピュータプログラムは以下の構成を備え
る。即ち、荷物の配送先と配送時刻条件とを含む、配送オーダ情報を記憶する第１の記憶手段と、前記配送オーダ情報が示す荷物の配送に用いる車両の情報を記憶する第２の記憶手段と、を備えるコンピュータを、前記配送オーダ情報が示す荷物を指定された配送先に対して配送する配送計画を作成する情報処理装置として機能させるコンピュータプログラムであって、前記コンピュータを前記第１の記憶手段で記憶されている配送オーダ情報の前記配送時刻条件を変更する配送時刻条件変更手段と、前記第１の記憶手段に記憶されている其々の配送オーダ情報の配送時刻条件を前記配送時刻条件変更手段によって変更するために、他の配送オーダ情報の荷物と同一の車両で配送可能となる配送オーダ情報の増加数を時刻緩和効果として算出する算出手段と、前記配送時刻条件変更手段で変更された配送時刻条件を満たすよう、前記配送オーダ情報が示す荷物を前記車両を用いて配送する配送計画を作成する配送計画作成手段、として機能させることを特徴とするコンピュータプログラム。